(57)【要約】【課題】紙層中に反転したスレッドの入った偽造防止効果を有する用紙を低コストで製造する。【解決手段】長網抄紙機２と、スレッド供給装置６と、スレッド供給装置６から供給されるスレッド１７を長網抄紙機２の抄紙ワイヤー３上の紙料スラリー７中に挿入するためのスレッド案内管８とを備えており、スレッド供給装置６は、スレッド１７を機械的に捻りながら繰り出して供給することにより、紙層３９中に反転したスレッド１８を形成する。【選択図】図１
2004250833.tif 000002
【特許請求の範囲】
【請求項１】
スレッド供給装置と、該スレッド供給装置から供給されるスレッドを抄紙機の抄紙ワイヤー上の紙料スラリー中に挿入するための挿入位置規制装置とを備えており、
上記スレッド供給装置は、捻りながらスレッドを繰り出して供給することにより、紙層中に反転したスレッドを形成すること特徴とする反転したスレッド入り用紙の製造装置。
【請求項２】
上記スレッド供給装置は、供給されるスレッドが巻き付けられている横置き型の巻取ボビンと、該巻取ボビンをその軸芯と直角方向の軸線を中心に回動させる回動装置とを有し、
上記巻取ボビンは、上記回動装置で上記回動をしながら、上記スレッドを繰り出すように回転し、上記スレッドを捻りながら供給することを特徴とする請求項１記載の反転したスレッド入り用紙の製造装置。
【請求項３】
上記スレッド供給装置は、供給されるスレッドが巻かれて成るスレッド巻物体を縦置きに保持し、上記スレッドが、上記スレッド巻物体の軸芯方向に引っ張られて捻られながら供給されるような構成とすることを特徴とする請求項１記載の反転したスレッド入り用紙の製造装置。
【請求項４】
上記スレッド供給装置は、上記巻取ボビンのスレッドを繰り出すような回転を制動するブレーキを有することを特徴とする請求項２及び請求項３のいずれか１項に記載の反転したスレッド入り用紙の製造装置。
【請求項５】
スレッド供給装置からスレッドが捻られて供給され、抄紙機の抄紙ワイヤー上の紙料スラリー中に捻られたスレッドが挿入されることによって、紙層中に反転したスレッドが形成されて成ることを特徴とする反転したスレッド入り用紙。
【発明の詳細な説明】
【０００１】
【発明の属する技術分野】
本発明は、機械的及び視覚的読み取りを容易にし、真偽判別効果の高いスレッド入り用紙及びその製造装置に関する。
【０００２】
【従来の技術】
証券、切符その他の貴重な印刷物に使用される用紙に、偽造防止効果を高めるために、長網抄紙機により単一の紙層中にセキュリティースレッドを挿入するスレッド挿入方法又はスレッド挿入装置（例えば、文献２参照。）がある。
【０００３】
【特許文献１】
特開２００１−１３１８９７号公報
図５は、従来のスレッド入り用紙の一例を示す図である。用紙に挿入された従来のスレッドは、ホログラムが付与されたりマイクロ文字等の印刷しされたもので人間の視覚により真否判別可能なものや、アモルファスや磁性粉を塗布した磁性スレッド等の機械読取要素が付与され、これを機械読み取り行うものがある。
【０００４】
しかしながら、いずれの場合でも挿入の際にスレッドが捻れて紙層に挿入されたり、或いは抄紙ワイヤーが揺動されるためにその揺れで抄紙の際に反転したりして、図５に示すスレッドが図６に示すように、表裏が変わると、印刷文字が反転し逆文字になり読みにくくなる、又用紙表裏における読み取り磁気強度の差が出る事など、不具合が生ずる場合があった。
【０００５】
この様な表裏差のあるスレッドは、表裏いずれか所定の面が機械読み取り或いは観察を行う用紙面に向いていなければならず、反転箇所は損紙となるため、製造条件が限られまた製造にコストがかかっていた。また、反転した場合でも観察可能であるようにデザインされていなければならず、デザイン上の制約があった。
【０００６】
磁性スレッドの材料としては、非接触で読み取り可能なアモルファススレッドを使用することも可能であるが、加工費が高く製品単価を大きく引き上げてしまう欠点があった。また、高価な専用装置がなければ情報の読み取りが不可能であり、一般的な真偽判別の手段としては適さなかった。
【０００７】
一般的なスレッドには表面にマイクロ文字を印刷し、特に装置を必要としない透過光観察を可能とした物もある。しかし、アモルフアス金属などの蒸着膜や磁性体の塗膜は金属光沢や黒色などの均一な非透過性の膜であるため透過光観察に適さず、一般的に行いやすい視覚的な偽造防止効果はあまり期待できなかった。
【０００８】
さらに、透過光観察のために非透過性スレッドの側面を波形など特別な形状に加工しておき、用紙中にすき込む方法も考えられるが、スレッド加工費が増加する上、強度にムラが出るため、幅の狭くなった部分で切断したり、伸びにより情報破壊をおこしやすくなるため、幅や厚さを少なくすることが困難だった。
【０００９】
一方、反射光による光学的観察のために非透過性の膜からなるスレッド上に印刷などを施すことは可能であるが印刷コストが上昇する欠点があった。また、スレッドを紙層中に挿入する構成の場合は、読取の際に反射光によるスレッド表面の観察が困難で細かな印刷文字等を確認できないという問題がある。この改善の為にスレッドの一部を紙層から露出する窓明きスレッドとする構成も考えられるが、製造装置が限られコストが増加するという問題があった。また、窓明きスレッドとしても表裏差の問題は解決できなかった。
【００１０】
【発明が解決しようとする課題】
本発明は、スレッドに関する上記従来技術の問題を解決することを目的とするものであり、磁気スレッド、ホログラムやマイクロ文字等を使用した安価なスレッドにおける表裏差に起因する諸問題を解決し偽造防止効果の高いスレッド入り用紙を実現することを課題とするものである。
【００１１】
さらに、本発明は、専用読み取り装置無しでは真偽判別不可能だったアモルフアススレッドに対して、一般的に実施しやすい真偽判別要素をコストの増加を伴うことなく付加できるようにすることを実現するものである。
【００１２】
【課題を解決するための手段】
本発明は、上記課題を解決するために、スレッド供給装置と、該スレッド供給装置から供給されるスレッドを抄紙機の抄紙ワイヤー上の紙料スラリー中に挿入するための挿入位置規制装置とを備えており、上記供給装置は、捻りながらスレッドを繰り出して供給することにより、紙層中に反転したスレッドを形成すること特徴とする反転したスレッド入り用紙の製造装置を提供する。
【００１３】
上記スレッド供給装置は、供給されるスレッドが巻き付けられている横置き型の巻取ボビンと、該巻取ボビンをその軸芯と直角方向の軸線を中心に回動させる回動装置とを有し、上記巻取ボビンは、上記回動装置で上記回動をしながら、上記スレッドを繰り出すように回転し、上記スレッドを捻りながら供給する構成としてもよい。
【００１４】
上記スレッド供給装置は、上記巻取ボビンのスレッドを繰り出すような回転を制動するブレーキを有する構成としてもよい。
【００１５】
上記スレッド供給装置は、上記横置き型の巻取ボビンの回転軸を回転可能に取り付けるボビンフレームを有し、上記回動装置は、上記ボビンフレームを回動することにより、上記該巻取ボビンをその軸芯と直角方向の軸線を中心に回動させる構成としてもよい。
【００１６】
上記スレッド供給装置は、供給されるスレッドが巻かれて成るスレッド巻物体を縦置きに保持し、上記スレッドが、上記スレッド巻物体の軸芯方向に引っ張られて捻られながら供給されるような構成としてもよい。この場合、上記スレッド巻物体を縦置きに保持する縦置き型の巻取ボビンを有する構成としてもよいし、さらにこの縦置き型の巻取ボビンは、その軸芯を中心に回転することも可能である構成としてもよい。
【００１７】
上記スレッド入り用紙の製造装置は、反転したスレッドの反転のピッチを一定に形成する構成としてもよい。
【００１８】
本発明は、上記課題を解決するために、スレッド供給装置からスレッドが捻られて供給され、抄紙機の抄紙ワイヤー上の紙料スラリー中に捻られたスレッドが挿入されることによって、紙層中に反転したスレッドが形成されて成ることを特徴とする反転したスレッド入り用紙を提供する。
【００１９】
上記反転したスレッド入り用紙の反転したスレッドには、文字、記号、模様、ホログラム又は磁気データが付与されている構成としてもよい。
【００２０】
【発明の実施の形態】
本発明に係る実施の形態を実施例に基づいて図面を参照して以下説明する。本発明に係る反転したスレッド入り用紙の製造装置及びこの製造装置で作成されるスレッド入り用紙は、長網抄紙機、円網抄紙機等で適用可能であるが、本明細書の実施例１、２では、長網抄紙機で適用した構成で説明する。図１（ａ）、（ｂ）は、本発明に係る反転したスレッド入り用紙の製造装置の全体構成及びこの製造装置で作成されるスレッド入り用紙の実施例１、２を説明するための図である。本発明に係る反転したスレッド入り用紙の製造装置１は、長網抄紙機において抄紙中の紙料スラリー中に、スレッドを捻りながら挿入し、反転したスレッド入り用紙を製造する装置である。
【００２１】
（実施例１）
図１（ａ）、（ｂ）において、スレッド入り用紙の製造装置１は、長網抄紙機２と、長網抄紙機２上で抄紙ワイヤー３に所定の揺動を与える揺動装置４と、スレッド５を供給するスレッド供給装置６と、スレッド供給装置６から繰り出されて供給されるスレッドを紙料スラリー７中に挿入位置を決めて挿入するための挿入位置規制装置、具体的にはスレッド案内管８と、を備えている。案内管８は、長網抄紙機２の抄紙スライス９の付近上流側に設けている。
【００２２】
長網抄紙機２は、揺動側ロール１０及び支点側ロール１１を有し、抄紙ワイヤー３は、両ロール１０、１１に支持され、エンドレスベルト状に回動し走行する。長網抄紙機２の上流側であって、抄紙ワイヤー３の上方に抄紙スライス９が垂直に起立し配置されている。
【００２３】
この抄紙スライス９は、それより上流側に紙料スラリー７を堰き止め、紙料スラリー７の供給プール１２を形成可能としている。そして、抄紙スライス９は、抄紙ワイヤー３との間に開口１３が形成されるように配置されており、この開口１３から、抄紙ワイヤー３上に紙料スラリー７を載せて下流側に送る。
【００２４】
揺動側ロール１０は、連結ロッド１４を介し揺動装置４によって揺動側ロール１０の軸芯方向に揺動され、これにより抄紙ワイヤー３がシェーキングされるように構成されている。即ち、揺動装置４は、モータ１５により駆動される揺動クランク１６を有し、連結ロッド１４の基端は、揺動クランク１６の先端部に枢着されており、連結ロッド１４の先端は揺動側ロール１０に枢着されている。
【００２５】
このような構成の長網抄紙機２によると、紙料スラリー７が供給プール１２から開口１３と通し、抄紙スライス９で制御された厚みで抄紙ワイヤー３の上に送られ、抄紙ワイヤ３が前方に移動し、揺動装置４によってシェーキングされながら紙料スラリー７を脱水し、徐々に固まらせて紙層を形成していく。
【００２６】
以上の構成の反転したスレッド入り用紙の製造装置１において、本発明の特徴とする構成は、スレッド１７を捻りながら繰り出して供給し、スレッド案内管を通して紙料スラリー７中に挿入し、紙層中に反転スレッド１８を形成するためのスレッド供給装置６を設けた点である。
【００２７】
スレッド供給装置６は、コの字型のボビンフレーム１９と、コの字型のボビンフレーム１９に軸受２０で回転可能に取り付けられた回転軸２１と、回転軸２１にその軸芯が一致するように固定された巻取ボビン２２と、巻取ボビンの長手方向中央であって巻取ボビンの軸芯に対して９０度方向の軸を中心に、ボビンフレーム１９ごと巻取ボビン２２を回動する回動装置２３と巻取ボビンのスレッドを繰り出すような回転を制動する電磁ブレーキ２４と、を備えている。
【００２８】
ボビンフレーム１９は、左右の側片２５と、側片２５を橋絡する橋絡片２６とから成る。回転軸２１は、ボビンフレーム１９の左右の側片２５に軸受２０で回転可能に取り付けられている。これにより、巻取ボビン２２は、ボビンフレーム１９に横置き状態で回転可能に設けられており、巻取ボビン２２に巻き付けられているスレッド１７の先端が引っ張られると、スレッド１７を自然に繰り出してスレッド案内管８へ供給することができる。
【００２９】
このように、実施例１に係るスレッド供給装置６の巻取ボビン４２は、その軸芯と繰り出し方向が互いに直交している横置き型の巻取ボビンであることを特徴とする。
【００３０】
ボビンフレーム１９の橋絡片２６の巻取ボビン２２の長手方向中央位置かつその軸芯に９０度となるように、ボビンフレーム１９の橋絡片２６の外面に回動支持軸２７の一端が垂直に固定されている。この回動支持軸２７の他端は、回動装置２３に回転駆動されるように取り付けられている。
【００３１】
回動装置２３は、スレッド入り用紙の製造装置のフレーム２８側に取り付けられており、速度調整可能なサーボモータ２９を有し、このサーボモータ２９の出力軸が減速装置（図示せず）を介して回動支持軸２７に連結されている。サーボモータ２９は、サーボモータ制御装置３０を介して電源３１に接続されている。サーボモータ制御装置３０は、長網抄紙機２の動作（抄紙ワイヤ３の走行動作等）に対応する信号に入力され、サーボモータ２９の運転開始、停止、速度等を制御する。
【００３２】
サーボモータ２９を回転することにより、回動支持軸２７及びボビンフレーム１９は、上記回動支持軸２７を中心にして回動するように構成されている。この結果、巻取ボビン２２は回動支持軸２７を中心に回動しながら、回転軸２１とともに繰り出すように回転（巻取ボビン２２のその軸芯周りの回転）を行うので、スレッド１７を捻りながらスレッド案内管８に送り出すことができる。
【００３３】
電磁ブレーキ２４は、ボビンフレーム１９の側片２５の外面に取り付けられている。この電磁ブレーキ２４は、回転軸２１の回転に対して磁気的に制動をかけることができるような構成である。回動支持軸２７には、スリップリング３２が設けられている。このスリップリング３２は、互いに相対的に回転するが導電性の摺接ブラシを介して互いに電気的に接続されている上部導体３３と下部導体３４とから成る。
【００３４】
一端が電磁ブレーキ２４に接続された配線３５の他端が、スリップリング３２の下部導体３４に接続されている。そして、一端が電源３１に接続された配線３７の他端が、電磁ブレーキ制御装置３６を介してスリップリング３２の上部導体３３に接続されている。これにより、電磁ブレーキ２４は、ボビンフレーム１９及び巻取ボビン２２とともに回動支持軸２７を中心に回動しながら、電源３１から電力を受けることができる。
【００３５】
電磁ブレーキ制御装置３６は、スレッドの引っ張り力を測定する張力計測装置３８の計測を受けて、張力が少ないようであれば、電磁ブレーキ２４を動作させる信号を電磁ブレーキ２４に送り、これにより、電磁ブレーキ２４を動作して回転軸２１に制動を与え、一定の張力をスレッド１７にかかるように制御することができる。なお、このような電磁ブレーキでなくても、ブレーキシュー等をボビンフレーム１９に押しつけて摩擦による制動をかける機械的なブレーキ機構を利用した構成でもよい。
【００３６】
張力計測装置３８の一例としては、図示はしないが、例えば、スレッドの行路途中に張力測定用のローラ（スレッドをローラに当接させて送り、ローラに対する圧力を測定して張力を測定する装置）等がある。で適宜計測し、この計測値に基づいて、電磁ブレーキ２４を電気的に制御する構成とすればよい。
【００３７】
以上の構成から成る実施例１のスレッド入り用紙の製造装置１の作用及びこれにより製造されるスレッド入り用紙を説明する。本発明に係る反転したスレッド入り用紙の製造装置１の運転開始に先立ち、スレッド供給装置６の巻取ボビン２２に巻かれたスレッド１７の先端を、スレッド案内管８を通して引き出し、抄紙ワイヤー３上において、その長手方向に沿って上流側のスレッド案内管８の直下から下流側の支点側ローラ１１近辺まで延ばしておく。
【００３８】
抄紙スライス９で上流側に堰き止められた紙料スラリー７の供給プールに紙料スラリー７を供給し、製造装置の運転を始動する。抄紙ワイヤー３は、揺動装置４で揺動されながら揺動側ローラ１０と支点側ローラ１１の間で回転し走行する。すると、抄紙スライス９で上流に堰き止められた紙料スラリー７は、開口１３を通して所定の厚みにスライスされ、抄紙ワイヤー３上に送られ、揺動、脱水されながら序々に固まり紙層３９を形成して下流側に送られる。
【００３９】
この紙層形成の過程の途中において、紙料スラリー７はその液状部分が抄紙ワイヤー３を通して脱水されながら序々に固まり、スレッド１７の先端部は紙層３９中に固定化されていく。スレッド１７は紙層３９とともに抄紙ワイヤー３上を移動するために、巻取ボビン２２に巻き付けられているスレッド１７は、引っ張られ、巻取ボビン２２が回転してスレッド１７は繰り出され、案内管８を通して抄紙ワイヤー３上の紙料スラリー７に挿入される。そして、スレッド１７はさらに紙料スラリー７とともに下流側に送られる。
【００４０】
本発明の反転したスレッド入り用紙の製造装置１では、ボビンフレーム１９を回動装置２３のサーボモータ２９で駆動することによって、巻取ボビン２２を回動支持軸２７を中心に回動させ、スレッド１７に捻れを加ながら、巻取ボビン２２から繰り出し、スレッド案内管８を通して紙料スラリー７への挿入時に強制的に反転を生じさせて挿入していく。
【００４１】
これにより、スレッド１７は、その長手方向に一定のピッチｐで反転された状態で紙層３９内に埋め込まれる。これにより、紙層３９中に、図３に示すように、長手方向に一定のピッチｐで反転した反転スレッド１８を有する本発明に係る反転スレッド入り用紙４０が作成される。
【００４２】
本発明に使用されるスレッド１７は、無地として反転スレッド１８が認められる点のみを真偽判別要素としてもよいが、文字、記号、模様、ホログラム、磁気データ等の真偽判別のための要素となるものを、予め付与することにより、反転されることと相乗的に作用し、より真偽判別効果を高めることができる。
【００４３】
反転スレッド１８のピッチｐは、サーボモータ２９による巻取ボビン２２及びボビンフレーム１９を回動する回転速度によって決まる。従って、反転スレッドの反転のピッチｐは、小切れ枚葉紙の寸法や、印刷された文字等に合わせて適宜調整すると良い。
【００４４】
例えば、スレッド１７に、その長手方向に一定のピッチで文字（例．ＡＢＣ）を付与し、回動装置２３のサーボモータ２９の回転を適宜調整することにより、文字が付与されているピッチと反転のピッチｐを一致させ、図３に示すように、反転スレッド１８の長手方向に交互に反転した文字が付与された反転スレッド入り用紙４０が形成される。
【００４５】
反転スレッド１８の反転のピッチは、例えば、次のようにして変更、調整又は維持されるようにしてもよい。スレッド供給装置６からスレッドを供給する際の反転回数から又はスレッド内に挿入された反転スレッドの反転のピッチを光学的にチェックして、反転のピッチを検出するスレッド反転状態検出装置を設け、その検出結果を、回動装置２３のサーボモータ制御装置３０へフイードバックすることにより、変更、調整又は維持をすることができるような構成としてもよい。
【００４６】
反転スレッド１８の反転のピッチｐについては、少なくとも小切れ枚葉紙寸法の間隔の２分の１以下とすれば、１枚の枚葉紙中に１回以上の反転を有し、すなわち一枚の枚葉紙中に少なくとも１カ所以上の読み取り可能部分を有するため、表裏いずれの面からも読み取りもしくは観察可能となり、偽造防止機能を発揮することができる。又、反転レッド入り用紙４０は一定のピッチで捻れを有する独特の構造をしており、透過光観察による容易に真偽判別が可能である。
【００４７】
ところで、巻取ボビン２２に巻かれたスレッド１７は、紙層３９に挿入し固定化されて下流側に移動する下流側の部分によって引っ張られて自然に巻取ボビン２２から繰り出される。しかしながら、巻取ボビン２２から余計に繰り出されるとスレッド１７は、紙層３９内で撓んで挿入されたりして、一定のピッチｐを保てない等の問題が生じる。
【００４８】
そこで、例えば、スレッドの行路途中に設けた張力計測装置によって、スレッド１７の張力を計測し、この計測値に基づいて、電磁ブレーキ制御装置３６が電磁ブレーキ２４を制御し、電磁ブレーキ２４で回転軸２１に制動を与えることにより、巻取ボビン２２の軸芯周りの回転に制動をかけ、スレッドの張力を適宜制御することができる。
【００４９】
本発明者は、実際に抄紙機においてスレッド挿入を行った際に反転したスレッド入り用紙を作成したが、この際、所定の回転数で捻れを与えたスレッドを紙料スラリー中に挿入したところ、回転数に一致した一定の反転のピッチを有する反転したスレッド入り用紙が作成できた。
【００５０】
そして、この反転したスレッド入り用紙のスレッドの反転部分は透過光で観察可能であり、反転したスレッドを有しないスレッド入り用紙と容易に判別が可能であった。この時（この実験で）使用したスレッド入り用紙は、紙厚９０μｍ程度であり、スレッドは、その厚さが約１５ミクロンであったが、同じスレッドを用いた確認実験の結果、反転部分に印刷を施した場合も、問題なく印刷可能であることが確認されている。
【００５１】
（実施例２）
図４は、本発明に係る反転したスレッド入り用紙の製造装置及びこの製造装置で作成されたスレッド入り用紙の実施例２を説明する図である。この実施例２は、図１に示す全体的な構成について実施例１と同じであるが、スレッド供給装置の構成が実施例１とは異なる。
【００５２】
実施例２に係るスレッド供給装置４１の巻取ボビン４２は、スレッドを繰り出す方向が、巻取ボビンの軸芯方向である縦置き型の巻取ボビンであることを特徴とする。これを、図４で具体的に説明すると、フレーム２８に対して固定支持軸４３が固定されており、この固定支持軸４３に巻取ボビン４２が固定して取付けられている。
【００５３】
この巻取ボビン４２の下方に、ガイドローラー４４が、このガイドローラ４４の上方にガイドローラ４５が、さらにその下方に複数のガイドローラ４６が、順次設けられている。ガイドローラ４６の下方にスレッドスレッド案内管８が配置されている。
【００５４】
このような構成の実施例２のスレッド供給装置４１によれば、実施例１で説明したように、スレッド１７が紙層３９に固定され下流側に送られることにより、巻取ボビン４２に巻き付けられて成るスレッド巻物体のスレッド１７は、スレッド巻物体の軸芯方向（巻取ボビン４２の軸芯方向でもある、）に引っ張られ、自動的に巻きほぐされて巻取ボビン４２の下端部のテーパ面４７に当接して案内されながら繰り出される。
【００５５】
この場合、スレッド巻物体のスレッド１７が引っ張られて巻取ボビン４２から巻きほどかれると、１周期につき１回捻られるので、スレッド１７は自然に捻られながら繰り出される。これは、例えば紙テープをイメージして説明すると、紙テープの芯軸が縦になるようにして、外側からテープの端を下方に引き出せば、捻られながら繰り出されていく原理と同じである。
【００５６】
このようにして巻取ボビン４２から繰り出されたスレッド１７は、ガイドローラー４４〜４６で案内されてスレッド案内管８を通り、実施例１同様に紙料スラリー７内に、捻られながら挿入される。この結果、実施例１と同様の図３に示すような、紙層内に反転した状態でスレッド１７が挿入され反転スレッド入り用紙が形成される。
【００５７】
なお、実施例２の上記構成は巻取ボビン４２に巻き取られて成るスレッド巻物体のスレッド１７を外側から、スレッド巻物体の軸芯方向下方に引っ張りながら巻きほどく構成を説明したが、筒状に巻かれたスレッドを外側からではなく内側から軸芯方向下方に引っ張りながら巻きほどく構成としてもよい。この構成は、例えば、筒体に巻かれたスレッド巻物体からこの筒体を抜いて、スレッド巻物体の外側を保持する保持機構に装着し、スレッド巻物体の内側からスレッドを巻きほぐす構成とすればよい。
【００５８】
又、実施例２では、巻取ボビン４２に巻き付けられたスレッド１７は、引っ張られて巻取ボビン４２から巻きほどかれると、１周期につき１回捻られるので、自然に捻られながら繰り出される構成を説明したが、次のような変形例もある。即ち、スレッドが巻取ボビン４２の下端のフランジ（図４中のテーパ面４７が形成されている部分）に引っかかり切断されてしまうという可能性もある。そこで、これを防止するために、固定支持軸４３をフレキシブルな材料で形成し、上記スレッドがフランジに引っかかりが生じスレッドの張力が増加した際に、その力が固定支持軸に加わり、巻取ボビン４２を逃げるようにして、引っかかりを解消する構成としてもよい。
【００５９】
或いは、固定支持軸４３は、フレーム２８に回転可能に取り付けられ、且つ通常は弾性力又は摩擦力が付与されており回転しないが、上記スレッドがフランジに引っかかりが生じスレッドの張力が増加した場合に、固定支持軸に回動力が作用し、上記弾力又は摩擦力に抗して回転し巻取ボビン４２を逃げるようにして引っかかりを解消する構成としてもよい。
【００６０】
以上、本発明に係る反転したスレッド入り用紙及びその製造装置の実施形態を実施例に基づいて説明したが、本発明は特にこのような実施例に限定されることなく、特許請求の範囲記載の技術的事項の範囲内でいろいろな実施例があることはいうまでもない。
【００６１】
【発明の効果】
本発明に係る反転したスレッド入り用紙及びその製造装置は、上記のような構成であるから、次のような効果が生じる。
（１）反転したスレッド、或いは一定のピッチで反転したスレッドを用紙に挿入できるため、これまでにない偽造防止効果を得られる。即ち、磁気スレッド、ホログラムスレッド、マイクロ文字スレッド等を使用した、安価なスレッド入り用紙における表裏差の問題を解決し、表裏いずれの面からでも検出或いは観察可能なスレッド入り用紙が製造可能乃至利用可能となる。
【００６２】
（２）本発明に係る反転したスレッド入り用紙の製造装置は、現有設備、その利用技術等を継続的に活用し、スレッド供給装置を本発明に係る構造のものを利用すれば実施可能であり、僅かな改造で製造できるため、大がかりな設備投資が不要であり、コストがかからない。
【００６３】
（３）そして、一般的なスレッド素材そのものを加工することなく、またなんらその特性に影響を与えるとなく、後工程の印刷にも影響を与えないで、新たな偽造防止効果を付与できる。従ってこの面からも材料コスト、製造コストの増加無しに新規な偽造防止要素を付加した製品が製造できる。
【００６４】
（４）透過光観察に不向きで、専用読み取り装置無しでは真偽判別不可能だった金属蒸着や磁性体塗布など非透過性のスレッドに対して、一般的に実施しやすい目視による真偽判別要素を付加することで偽造防止効果の向上が図れる。
【図面の簡単な説明】
【図１】（ａ）は本発明に係る反転したスレッド入り用紙の製造装置の実施例１、２の全体構成を示す図であり、（ｂ）は特に揺動装置を説明する図である。
【図２】本発明に係る反転したスレッド入り用紙の製造装置の実施例１のスレッド供給装置を示す図である。
【図３】本発明に係る反転したスレッド入り用紙の実施例１、２を示す図である。
【図４】本発明に係る反転したスレッド入り用紙の製造装置の実施例２のスレッド供給装置を示す図である。
【図５】従来のスレッド入り用紙を説明する図である。
【図６】従来のスレッド入り用紙について、スレッドが裏返り、読み取りもしくは観察不可能となり損紙となる場合を説明する図である。
【符号の説明】
１    反転したスレッド入り用紙の製造装置
２        長網抄紙機
３        抄紙ワイヤー
４        揺動装置
６      スレッド供給装置
７        紙料スラリー
８        スレッド案内管
９        抄紙スライス
１０        揺動側ロール
１１        支点側ロール
１２        紙料スラリーの供給プール
１３        抄紙スライスと抄紙ワイヤーとの開口
１４        連結ロッド
１５        モータ
１６        揺動クランク
１７        スレッド
１８        反転スレッド
１９        ボビンフレーム
２０        軸受
２１        回転軸
２２      巻取ボビン
２３        回動装置
２４        電磁ブレーキ
２５        側片
２６        橋絡片
２７        回動支持軸
２８        スレッド入り用紙の製造装置のフレーム
２９        サーボモータ
３０      サーボモータ制御装置
３１        電源
３２        スリップリング
３３        上部導体
３４        下部導体
３５      配線
３６        電磁ブレーキ制御装置
３７        配線
３８        張力計測装置３８
３９        紙層
４０        反転スレッド入り用紙
４１        スレッド供給装置
４２        巻取ボビン
４３        固定支持軸
４４、４５、４６          ガイドローラー
【図１】
2004250833.tif 000003
【図２】
2004250833.tif 000004
【図３】
2004250833.tif 000005
【図４】
2004250833.tif 000006
【図５】
2004250833.tif 000007
【図６】
2004250833.tif 000008